(57)【要約】【課題】無駄な電力消費を軽減する携帯端末装置を提供する。【解決手段】所定の情報を通知する通知部と、音を出力する音出力部と、前記音出力部による音の出力状態を検出する音出力検出部と、外部からの振動を検出する振動検出部と、前記音出力検出部および前記振動検出部の検出結果に応答して前記通知部または前記音出力部を制御する制御部とを備え、前記制御部は、前記音出力検出部で音の出力状態が検出された状態で前記振動検出部によって外部振動が検出された場合に、前記音出力部による音出力を制御し、前記音出力検知部で音の出力状態が検出されない状態で前記振動検出部によって外部振動が検出された場合に前記通知部による通知を制御する。【選択図】図２
2006186837.tif 000002
【特許請求の範囲】
【請求項１】
所定の情報を通知する通知部と、音を出力する音出力部と、前記音出力部による音の出力状態を検出する音出力検出部と、外部からの振動を検出する振動検出部と、前記音出力検出部および前記振動検出部の検出結果に応答して前記通知部または前記音出力部を制御する制御部とを備え、前記制御部は、前記音出力検出部で音の出力状態が検出された状態で前記振動検出部によって外部振動が検出された場合に、前記音出力部による音出力を制御し、前記音出力検知部で音の出力状態が検出されない状態で前記振動検出部によって外部振動が検出された場合に前記通知部による通知を制御することを特徴とする携帯端末装置。
【請求項２】
請求項１に記載の携帯端末装置において、前記音出力部は、着信時に着信音を外部に出力し、前記音出力検出部は、着信を検知したときに音出力状態として検出することを特徴とする携帯端末装置。
【請求項３】
請求項１に記載の携帯端末装置において、着信時に振動する振動出力部を備え、前記振動検出部における振動検知の閾値を、前記振動出力部の振動出力値よりも高く設定することを特徴とする携帯端末装置。
【請求項４】
請求項３に記載の携帯端末装置において、前記振動検出部は、閾値よりも高い振動出力値が連続した場合に振動を検出したと判定することを特徴とする携帯端末装置。
【請求項５】
請求項１に記載の携帯端末装置において、前記通知部は、着信履歴に基づく情報を通知することを特徴とする携帯端末装置。 
【請求項６】
コンピュータに、請求項１乃至５のいずれかに記載の携帯端末装置の機能を実現させるためのプログラム。
【請求項７】
コンピュータが読み取り可能な記録媒体であって、請求項６に記載のプログラムを記録したことを特徴とする記録媒体。
【発明の詳細な説明】
【技術分野】
【０００１】
本発明は、携帯端末装置、この携帯端末装置の機能を実現するためのプログラムおよびそのプログラムを記録したコンピュータ読取可能な記録媒体に関する。
【背景技術】
【０００２】
従来の携帯電話機では、着信時には、着信音やバイブレータを動作させてその着信をユーザに知らせ、着信キーを押すか、あるいは任意のキーを押すことで着信に対して応答し通話に入るようになっている。
【０００３】
このような携帯電話機では、会議室や劇場等のような着信音を鳴動させるのが周囲の迷惑になるような環境下では、着信音を動作させる代わりに携帯電話機に内蔵させたバイブレータを振動させて、着信をユーザに知らせるのが一般的である。
しかし、バイブレータ機能のない携帯電話機やバイブレータ機能は内蔵されているものの携帯電話機を携帯していないような状況では着信音を鳴らさざるを得ない。
【０００４】
かかる状況下においては、会議室や劇場等のような環境下で、携帯電話機が鞄の中に入っているような場合には、鞄から携帯電話機を取り出した後に、着信キーを押すか、あるいは任意のキーを押すことではじめて着信音が停止する。この着信音の鳴りはじめから停止までには比較的長い時間が必要で、その間、その周囲の人は迷惑を被ることになる。
【０００５】
上記の問題点に対して、特許文献１では、使用者が着衣している衣服内（例えば、ポケット内）に携帯電話機がある状態の場合、人体からの赤外線及び体温を予め設定された期間以上感知しているとき、人体の近くに携帯電話機がある状態であると判断し、この状態で、スピーカから着信音が拡声され、それを聞いた使用者が手で携帯電話機を衣服内から取り出すと、赤外線及び体温が変化したことを感知して自動的に着信応答し、着信音を停止させる。また、机の上や鞄の中に携帯電話機がある状態では、使用者が携帯電話機を手に持つと、使用者の手からの赤外線及び体温を感知して、状態の変化により、着信音を停止させる。これによって、着信時の応答操作を簡単にしている。
【０００６】
また、特許文献２では、携帯電話機が留守番モードに設定されていない待受状態において、着信が検出されると、ブザーやバイブレータによって着信を報知するとともに、着信があることを報知するメッセージを表示させる。その後、使用者が携帯電話機本体に圧力を加えると、携帯電話機がその圧力を検知し、呼出音データの送出を中断してブザーやバイブレータを終了させて着信報知を中断する。これにより、携帯電話機の着信報知による周囲への迷惑を軽減できるようにしている。
【０００７】
また、特許文献３では、携帯電話機をバックの内部に収容した状態で着呼し着信報知を認識したとき、ユーザがバックの外部から間欠的に加える（バックを揺する）振動を順次検知し、その振動検知回数をカウントし、カウントした振動回数に対応して順次スピーカの鳴音レベルを着呼時の鳴音レベルに対し減少し、周囲の人に迷惑を掛けない鳴音レベルに制御することができる。これにより、ユーザは携帯電話機に触れることなく、またバックから携帯電話機を取り出すことなく鳴音レベルを減少させることができ、煩わしさがなくなる。
【特許文献１】特開平０９−１３９７６４号公報
【特許文献２】特開平１０−２７１１８９号公報
【特許文献３】特開２００４−８０６１６号公報
【発明の開示】
【発明が解決しようとする課題】
【０００８】
しかしながら、上述したような従来の技術では、携帯電話機の着信音によって周囲の人に迷惑をかけないようにはできるが、何時ユーザから振動が加えられたかを検出できるように、着信検出時以外にも常時振動センサからの入力信号をスキャンしており、無駄に電力を消費しているという問題点がある。
また、従来、外部に取り付けられたＬＥＤを発光させて、着信があったことを知らせる携帯電話機もあるが、ユーザが確認するまで発光させているため、発光させるための電力が浪費されてしまうという問題点がある。
【０００９】
本発明は、上述の実情を考慮してなされたものであって、無駄な電力消費を軽減する携帯端末装置、この携帯端末装置の機能を実現するためのプログラムおよびそのプログラムを記録したコンピュータ読取可能な記録媒体を提供することを目的とする。
【課題を解決するための手段】
【００１０】
上記の課題を解決するために、本発明の携帯端末装置は、所定の情報を通知する通知部と、音を出力する音出力部と、前記音出力部による音の出力状態を検出する音出力検出部と、外部からの振動を検出する振動検出部と、前記音出力検出部および前記振動検出部の検出結果に応答して前記通知部または前記音出力部を制御する制御部とを備え、前記制御部は、前記音出力検出部で音の出力状態が検出された状態で前記振動検出部によって外部振動が検出された場合に、前記音出力部による音出力を制御し、前記音出力検知部で音の出力状態が検出されない状態で前記振動検出部によって外部振動が検出された場合に前記通知部による通知を制御するように構成する。
【００１１】
ここで、前記音出力部は、着信時に着信音を外部に出力する。
また、前記音出力検出部は、着信を検知したときに音出力状態として検出する。
また、前記通知部は、電話やメールの着信履歴に基づいた情報を通知する。
【００１２】
また、前記振動検出部における振動は、振動出力部が着信時に振動する場合には、この振動出力部の振動出力値よりも高いときにだけ検出するようにした。さらに、前記振動検出部は、振動出力部の振動出力値よりも高い振動が連続した場合に振動を検出したと判定するようにし、誤操作を防ぐようにした。
【００１３】
また、本発明は、上述した構成の携帯端末装置の機能を実現させるためのプログラムまたはそのプログラムを記録したコンピュータ読取可能な記録媒体によっても上記課題を解決することができる。
【発明の効果】
【００１４】
本発明によれば、必要なときにのみ携帯端末装置の振動を検出するようにしたので、無駄な電力を消費しなくても済む。
また、携帯端末装置に振動を加えるといった簡単な操作によって、今までに着信した通話あるいは電子メールがどの程度あったかを確認することができる。
【発明を実施するための最良の形態】
【００１５】
以下、図面を参照して本発明の携帯端末装置に係る好適な実施形態について説明する。
実施形態の携帯端末装置として、携帯電話機を用いて説明するが、着信したときに着信音やバイブレータ機能が動作する携帯型機器であれば同様に適用することができる。
また、以下では述べないが、この携帯端末装置における電話機能やメール機能も動作しているものとする。
【００１６】
＜実施形態１＞
図１は、本発明を適用対象とする携帯端末装置の構成を示すブロック図である。同図において、携帯端末装置は、アンテナ１、無線部２、通信方式選択部３、着信検知部４、音出力部５、振動出力部６、ＬＥＤ７、操作部８、振動感知部９、表示部１０、記憶部１１、留守応答部１２、主制御部１３とを含んでいる。
【００１７】
無線部２は、アンテナ１を介して基地局と所定の周波数帯域による電波の送受信を行って、通話および電子メール等を送受信する。通信方式選択部３は、無線部２によって送受信される電波の変復調や各種データの判定／分離等の各種処理を行う。着信検知部４は、電話やメールの着信を検知するとともに、電話やメールの着信履歴を記憶部１１へ記録するとともに、主制御部１３へ通知する。音出力部５は、着信音、通話音声、アラームあるいは音楽等を指示された音量によって外部に出力する。
【００１８】
振動出力部６は、指示された振動の強度に応じて装置本体を振動させる。ＬＥＤ７は、端末の状態に応じて指定された色や発光パターンにより発光させる。
操作部８は、電話番号や電子メール等の入力を行う数字キー、通話やメール等を行う各種機能キー等からなっている。表示部１０は、操作部８によって入力およびその入力によって引き起こされる結果、通話や電子メールの送受信のときの状態等を表示する。
【００１９】
振動感知部９は、装置本体をユーザが意図的に圧力（例えば、叩く）を加えたり、ユーザが意図せずに圧力（例えば、落とす、移動中に鞄の中で揺すられる）が加えられて振動が起こった場合や振動出力部６による装置本体の振動を感知し、その振動信号を時系列として出力する。
ユーザは、操作部８で時間を指定したり、ボタンの操作で振動感知の開始（例えば、振動センサをＯＮにする）と停止（例えば、振動センサをＯＦＦにする）を設定することができる。この場合、振動感知部９は、指定された感知開始と停止の間だけ作動することになる。
【００２０】
記憶部１１は、主制御部１３が実行するプログラムおよびそのプログラムの実行に必要なデータ、電話帳、録音された音声データや受信した電子メール、通話着信履歴やメール着信履歴、操作部８から設定された各種設定データ等を記憶する。
留守応答部１２は、無線部２で受信された音声信号を記憶部１１へ録音すること、あるいは、ユーザにより録音した音声信号を音出力部５によって出力させる。
【００２１】
主制御部１３は、通信方式選択部３によって分離された制御データ、操作部８からの各種指示、振動感知部９による振動検知に基づいた制御、着信検知部４による着信音の出力制御、振動出力部６における振動制御、表示部１０における表示制御、留守応答部１２における録音再生制御、ＬＥＤ７における発光制御等を行う。
【００２２】
図２は、本発明の実施形態１に係る携帯端末装置の機能構成を示すブロック図である。同図において、携帯端末装置は、制御部２０、音出力検出部２１、振動検出部２２、通知部２３、および、図１に記された構成要素も含んで構成されている。
【００２３】
着信検知部４は、無線部２で他の携帯端末装置から受信した通信を通信方式選択部３で分離した制御データを調べて、着信（音声通話あるいは電子メール）であるか否かを判断し、着信であった場合には、状態「着信あり」と受信データを制御部２０へ渡す。また、着信でない場合には、状態「着信でない」と受信データを制御部２０へ渡す。
また、着信検知部４は、着信中に着信が切断されると、着信切断信号を制御部２０へ渡す。
【００２４】
本装置では、着信音、アラーム鳴動、音楽の再生、ＦＭやＴＶ等の音を出力する機能では、各機能の動作状態（ＯＮ／ＯＦＦ）を記憶部１１に記憶するようになっている。また、音を出力しない機能の場合には、すべての機能の記憶状態がＯＦＦ状態となっている。
音出力検出部２１は、この記憶部１１の各機能の動作状態を調べることによって、音出力状態を出力する。
【００２５】
振動検出部２２は、作動させられた振動感知部９からの振動信号に応答して動作を開始し、振動信号に応じて振動があったときだけ、下記に示すような振動検出信号を制御部２０へ出力し、振動がない場合には出力しない。
【００２６】
ここで、１回の振動を感知したときに振動があったことを出力するようにしてもよいが、振動はユーザが叩いて起こす振動ばかりではなく、バイブレータのような振動出力部６で引き起こされる振動や鞄の中で揺すられて起こる振動やうっかり触ってしまったときにおこる振動等が考えられ、振動があったからといってもユーザが意図して引き起こした振動であるとは限らない。
【００２７】
例えば、図３に示したように、振動感知部９が動作開始した当初は振幅が小さいが、ユーザが叩くことにより振幅が大きくなる。また、この間に、振動出力部６（バイブレータ等）によって引き起こされる振動も感知することもある。
この場合には、振動出力部６によって出力される最大の振幅より大きい振幅を閾値とし、その閾値を越えた振動に関してのみ、ユーザが叩いた振動として検出するようにする。
さらに、複数回の大きな振動を検出するようにすると、ユーザがうっかり叩いてしまうことによる誤作動を防ぐことができる。
【００２８】
したがって、上記のような意図しない振動による誤作動を防止するために、振動検出部２２は、予め設定した時間内で、振動感知部９が感知した時系列の振動信号を取得し、この時間内で所定の閾値を越えた振動の回数と振動の平均強度を算出し、振動回数が複数回であったときにのみ振動検出信号（振動回数、振動の平均強度）を出力信号とするようにした方が望ましい。
また、誤動作の予防としては、携帯端末装置に赤外線センサを備えておき、振動の感知と一緒に体温の感知が行われたときに、振動が感知されたとするようにしてもよい。
【００２９】
次に、通知部２３は、電話やメールの着信履歴を以下のいずれかの形態で通知する。
【００３０】
（１）件数を通知する場合：
通知部２３は、記憶部１１に記録された通話着信履歴を参照して、通話着信件数が何件あるかを調べる。また、記憶部１１のメール着信履歴を参照して、メール着信件数が何件あるかを調べる。
これらの着信件数によって、例えば、通話着信件数を通知するときには、ＬＥＤ７の赤いＬＥＤを通話着信件数分だけ点滅して通知する。また、メール着信件数のときには、ＬＥＤ７の緑色のＬＥＤをメール着信件数分だけ点滅して通知する。通話とメールの区別は、上記のＬＥＤの色に限定されたものではなく、適宜変更可能である。
【００３１】
さらに、着信件数分の点滅ではなく、件数の多少によってランク分けして、ランクに対応する回数だけ点滅するようにしてもよい。
また、通知方法は、ＬＥＤの点滅とは限らず、振動出力部６の振動あるいは音出力部５で音（ピコピコという音等）の鳴動、件数の多少によってランク分けしたＬＥＤの色、音声案内によって通知するようにしてもよい。
【００３２】
（２）着信の有無のみ通知する場合：
通知部２３は、記憶部１１に記録された通話着信履歴を参照して、通話着信件数があるか否かを調べる。また、記憶部１１のメール着信履歴を参照して、メール着信件数があるか否かを調べる。
これらの着信件数によって、例えば、通話の有無を通知するときには、ＬＥＤ７の赤いＬＥＤを所定回数（使用者が確認できる程度の回数）だけ点滅して通知する。また、メールの着信の有無を通知するときには、ＬＥＤ７の緑色のＬＥＤを所定回数（使用者が確認できる程度の回数）だけ点滅して通知する。通話とメールの区別は、上記のＬＥＤの色に限定されたものではなく、適宜変更可能である。
また、通知方法は、ＬＥＤの点滅とは限らず、振動出力部６の所定回数（使用者が確認できる程度の回数）の振動あるいは音出力部５の音（ピピピという音等）の所定回数（使用者が確認できる程度の回数）の鳴動や音声案内によって通知するようにしてもよい。
【００３３】
（３）着信相手を通知する場合：
まず、記憶部１１に格納されている電話帳には、相手先の名前、電話番号と着信通知の要否と通知方法、メールアドレスと着信通知の要否と通知方法等のデータ項目を設定し、相手先ごとに登録しておく。ここで、通知方法は、例えば、ＬＥＤの点滅回数、バイブレータの振動回数、ＬＥＤの色あるいは音（ピピピ、ピコピコピコ等）の区別等である。
【００３４】
通知部２３は、記憶部１１の通話着信履歴およびメール着信履歴をそれぞれ１つずつ参照して、以下の処理を実行する。
（Ａ）着信の相手先が電話帳に記憶されているかを調べ、着信通知要否を確認する。通話の場合には、電話番号と比較し、電子メールの場合にはメールアドレスとを比較する。
（Ｂ）着信通知要の場合、電話帳に記録されている通知方法で着信した旨を通知する。
例えば、相手先を家族や友人や会社などで区別して、それぞれにＬＥＤの点滅回数やバイブレータの振動回数、ＬＥＤの色あるいは音（ピピピ、ピコピコピコ等）を設定してある場合、家族に設定した赤色のＬＥＤ、友人の場合には緑色のＬＥＤ、会社の場合には黄色のＬＥＤを点滅させる。
（Ｃ）ユーザがこの通知を確認して、次の着信確認に進めるキーを押すと、（Ａ）と（Ｂ）を繰り返す。最後まで確認を進めるかあるいは確認取止キーが押されると処理を終了して、制御部２０へ戻る。
【００３５】
次に、制御部２０について説明する。
制御部２０は、着信検知部４から「着信あり」の状態を受け取ると、記憶部１１の機能別の動作状態、即ち、「着信音」機能の動作状態を、着信が無い状態「ＯＦＦ」から、「ＯＮ」にかえて記憶し、音出力部５に指令して、ユーザに設定されている着信音と音量で出力させて、指示待ちの状態となる。
また、制御部２０は、着信時に、音出力検出部２１によって、音声データの再生、音楽の再生、ＦＭあるいはＴＶ、アラームの鳴動等のいずれかの機能の動作状態が「ＯＮ」と検出されれば、これらの機能処理を中断して、着信処理が行われる。着信処理が終わるともとの機能処理へ復帰することができる。
【００３６】
また、制御部２０は、着信処理中に振動検出部２２から振動検出信号を受信すると、音出力部５へ指令して着信音を停止させる。あるいは、ユーザに着信音の代わりに振動出力部６を作動するように設定されている場合には、振動出力部６へ指令して振動を停止させる。
あるいは、着信音の音量を小さくしたり、振動音を小さくすることによって、周囲の人の迷惑にならないようにしてもよい。また、着信したときに着信音を発生させるように設定されている場合には、着信音の代わりに振動音に切り替えて、周囲への迷惑を軽減するようにしてもよい。さらに、音声通話の場合には、着信を取って保留状態にし、相手側には発信を切らないように「少々お待ちください」という保留音を流すようにしてもよい。
【００３７】
その後、制御部２０は、この音出力部５の着信音あるいは振動出力部６の停止処理が終了して、ユーザが着信キーを押すと、通話を開始する。
また、制御部２０は、着信音を停止した後に通話することなく着信が切れた場合、あるいは、着信音を停止した後に留守応答部１２が作動した場合、その旨を振動出力部６や表示部１０やＬＥＤ７によって通知する。
【００３８】
さらに、制御部２０は、音出力検出部２１で「着信音」機能の動作状態が「ＯＦＦ」のときに、振動検出部２２で振動を検出すると、通知部２３を起動して、着信履歴の状態を通知するようにする。
【００３９】
次に、図４のフローチャートを用いて、携帯端末装置の動作制御について説明する。
無線部２で他の携帯端末装置から受信した通信を通信方式選択部３で分離した制御データを調べて、着信（音声通話あるいは電子メール）があったか否かを判断し、着信があった場合（ステップＳ１のＹＥＳ）、記憶部１１の「着信音」機能の動作状態を「ＯＮ」の状態で記憶し、音出力部５へ指令して着信音を発生させる（ステップＳ２）。あるいは、着信音の代わりに振動を作動するように設定されている場合には、振動出力部６へ指令して振動を発生させる。
【００４０】
振動検出部２２から振動検出信号（振動回数や振動の平均強度）を受信すると（ステップＳ３のＹＥＳ）、音出力部５へ指令して着信音を停止させる（ステップＳ４）。あるいは、着信音の代わりに振動を作動するように設定されている場合には、振動出力部６へ指令して振動を停止させる。
【００４１】
着信検知部４から着信切断信号を受け取ると（ステップＳ５のＹＥＳ）、「着信音を停止した後に通話することなく着信が切れた」旨を振動出力部６や表示部１０やＬＥＤ７によって通知して（ステップＳ６）、処理を終了して次の動作待ちとなる。
【００４２】
一方、着信音を停止した後に留守応答部１２が作動した場合（ステップＳ７のＹＥＳ）、「発信者のメッセージが録音された」旨を振動出力部６や表示部１０やＬＥＤ７によって通知して（ステップＳ８）、処理を終了して次の動作待ちとなる。
【００４３】
他方、振動を検知せずにユーザが「着信キー」を押した場合（ステップＳ３のＮＯ、Ｓ９のＹＥＳ）、あるいは、着信音を停止した後にユーザが「着信キー」を押した場合（ステップＳ９のＹＥＳ）には、音声通話を開始して（ステップＳ１０）、通話終了とともに次の動作待ちとなる。
また、着信音を出力させた後、振動を感知せず、着信キーも押されなかったときには（ステップＳ９のＮＯ）、振動を検出するか「着信キー」が押されるまでステップＳ３へ戻って待つ。
【００４４】
また、着信が検知されない状態で（ステップＳ１のＮＯ）、振動が検出されなかった場合（ステップＳ１５のＮＯ）、次の動作待ちとなる。
一方、着信が検知されない状態で（ステップＳ１のＮＯ）、振動が検出された場合（ステップＳ１１のＹＥＳ）、記憶部１１に記録された通話着信履歴を参照して、通話着信件数が何件あるかを調べて、通話着信件数がゼロでなければ（ステップＳ１２のＹＥＳ）、ＬＥＤ７の赤色のＬＥＤを通話着信件数分だけ点滅させる（ステップＳ１３）。
【００４５】
また、記憶部１１のメール着信履歴を参照して、メール着信件数が何件あるかを調べて、メール着信件数がゼロでなければ（ステップＳ１４のＹＥＳ）、ＬＥＤ７の緑色のＬＥＤをメール着信件数分だけ点滅させ（ステップＳ１５）、次の動作待ちとなる。
電話の着信もメールの着信もなければ（ステップＳ１５のＮＯ）、次の動作待ちとなる。
【００４６】
以上のように本実施形態１を構成することによって、ユーザや装置側で必要なときにのみ振動を検出するようにしたことにより、無駄な電力を消費しなくても済む。
また、携帯端末装置に振動を加えるといった簡単な操作によって、今までに着信した通話あるいは電子メールがどの程度あったかを確認することができる。
【００４７】
＜実施形態２＞
本実施形態２は、着信時以外では振動検知を停止して、無駄な電力を消費しないようにし、さらに、簡単な操作によって着信音を迅速に停止させて、周囲の人への迷惑を軽減するようにしたものである。
【００４８】
本実施形態２の機能構成は、図２と同じであるから、相違点についてのみ説明する。
制御部２０では、着信検知部４から「着信あり」の状態を受け取ったときに、音出力部５に指令して、ユーザに設定されている着信音と音量で出力させるとともに、振動感知部９を作動させて、着信処理に入る。
そして、制御部２０は、着信処理中に振動検出部２２から振動検出信号を受信すると、音出力部５へ指令して着信音を停止させるとともに、振動感知部９の作動を停止させる。
その後、制御部２０は、ユーザが着信キーを押すと通話を開始する。
また、着信音を停止した後に通話することなく着信が切れた場合、あるいは、着信音を停止した後に留守応答部１２が作動した場合、その旨を振動出力部６や表示部１０やＬＥＤ７によって通知する。
【００４９】
次に、図５のフローチャートを用いて、携帯端末装置の動作制御について説明する。
無線部２で他の携帯端末装置から受信した通信を通信方式選択部３で分離した制御データを調べて、着信（音声通話あるいは電子メール）があったか否かを判断し、着信があるまで待ち、着信があった場合（ステップＳ２１のＹＥＳ）、記憶部１１の「着信音」機能の動作状態を「ＯＮ」の状態で記憶し、振動感知部９を作動させる（ステップＳ２２）。
【００５０】
音出力部５へ指令して着信音を発生させる（ステップＳ２３）。あるいは、着信音の代わりに振動を作動するように設定されている場合には、振動出力部６へ指令して振動を発生させる。
【００５１】
振動検出部２２から振動検出信号（振動回数や振動の平均強度）を受信すると（ステップＳ２４のＹＥＳ）、音出力部５へ指令して着信音を停止させる（ステップＳ２５）。あるいは、着信音の代わりに振動を作動するように設定されている場合には、振動出力部６へ指令して振動を停止させる。
ついで、振動感知部９の動作を停止させる（ステップＳ２６）。
【００５２】
着信検知部４から着信切断信号を受け取ると（ステップＳ２７のＹＥＳ）、「着信音を停止した後に通話することなく着信が切れた」旨を振動出力部６や表示部１０やＬＥＤ７によって通知して（ステップＳ２８）、処理を終了して次の動作待ちとなる。
ここで、着信が切断されたときには、音出力検出部２１によって着信音の停止を調べ、着信音が停止していないときには、音出力部５へ指令して着信音を停止させるとともに、振動感知部９の作動を停止させるようにする。
【００５３】
一方、着信音を停止した後に留守応答部１２が作動した場合（ステップＳ２９のＹＥＳ）、「発信者のメッセージが録音された」旨を振動出力部６や表示部１０やＬＥＤ７によって通知して（ステップＳ３０）、処理を終了して次の動作待ちとなる。
ここで、留守応答部１２が動作するときには、音出力検出部２１によって着信音の停止を調べ、着信音が停止していないときには、音出力部５へ指令して着信音を停止させるとともに、振動感知部９の作動を停止させるようにする。
【００５４】
他方、振動を検知せずにユーザが「着信キー」を押した場合（ステップＳ２４のＮＯ、Ｓ３１のＹＥＳ）、あるいは、着信音を停止した後にユーザが「着信キー」を押した場合（ステップＳ３１のＹＥＳ）には、音出力検出部２１によって着信音の停止を調べ、着信音が停止していないときには、音出力部５へ指令して着信音を停止させるとともに、振動感知部９の作動を停止させてから、音声通話を開始して（ステップＳ３２）、通話終了とともに次の動作待ちとなる。
また、着信音を出力させた後、振動を感知せず、着信キーも押されなかったときには（ステップＳ３１のＮＯ）、振動を検出するか「着信キー」が押されるまでステップＳ２４へ戻って待つ。
【００５５】
以上のように本実施形態２を構成することによって、ユーザや装置側で必要なときにのみ振動を検出するようにしたことにより、無駄な電力を消費しなくても済む。
また、携帯端末装置に振動を加えるといった簡単な操作によって、着信音を迅速に停止させることができるので、周囲の人への迷惑を軽減することができる。
【００５６】
＜実施形態３＞
本実施形態３は、音楽等の音を出力していたときに、着信が検知されず、振動が検出された場合には、音の出力を調整するようにしたものである。
図６は、本発明の実施形態３に係る携帯端末装置の機能構成を示すブロック図である。同図において、携帯端末装置は、制御部２０、音出力検出部２１、振動検出部２２、通知部２３、音量調整部２４、および、図１に記された構成要素も含んで構成されている。
図６と図２の同一部分については、同一符号を付して相違点についてのみ説明する。
【００５７】
制御部２０は、音出力検出部２１によって、「着信」機能の動作状態が「ＯＦＦ」であり、「音声データの再生、音楽の再生、ＦＭやＴＶ等」のいずれかの機能の動作状態が「ＯＮ」であり、振動検出部２２から振動検出信号（振動回数および振動の平均強度）を受けたときには、音量調整部２４を起動して、振動検出信号を渡す。
【００５８】
音量調整部２４は、渡された振動回数を判断して、音量を調整して音出力部５へ指示する。この振動回数と音量の調整量の対応は、例えば、次のようにユーザによってそれぞれ設定可能である。
【００５９】
・振動回数が２回の場合には、１段階音量を下げる。
・振動回数が３回の場合には、１段階音量を上げる。
・振動回数が４回の場合には、通常の音量へ戻す。
【００６０】
また、音量の調整は上述のように振動回数ごとに定められた量による調整ではなく、例えば、振動の強度の強弱や振動回数の大小によって、音量の上げ下げを調整するようにしてもよい。または、振動を加えることによって音量を小さくする方向、あるいは、止める方向とするならば、振動回数が多くなるほど音量を下げるように調整してもよい。
【００６１】
以上のように本実施形態２を構成すれば、音声データ、アラーム音、音楽の再生、ＦＭやＴＶ等で出力される音の音量を、簡易な操作によって調整することができる。
【００６２】
本発明は、上述した実施形態のみに限定されたものではない。上述した実施形態の携帯端末装置を構成する各機能をそれぞれプログラム化して、予めＲＯＭのような記録媒体に書き込んでおき、この記録媒体を携帯端末装置に装着して、これらのプログラムを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００６３】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【００６４】
【図１】本発明を適用対象とする携帯端末装置の構成を示すブロック図である。
【図２】本発明の実施形態１に係る携帯端末装置の機能構成を示すブロック図である。
【図３】振動検出部の動作を説明するための図である。
【図４】本発明の実施形態１に係る携帯端末装置の動作制御について説明するためのフローチャートである。
【図５】本発明の実施形態２に係る携帯端末装置の動作制御について説明するためのフローチャートである。
【図６】本発明の実施形態３に係る携帯端末装置の機能構成を示すブロック図である。
【符号の説明】
【００６５】
１…アンテナ、２…無線部、３…通信方式選択部、４…着信検知部、５…音出力部、６…振動出力部、７…ＬＥＤ、８…操作部、９…振動感知部、１０…表示部、１１…記憶部、１２…留守応答部、１３…主制御部、２０…制御部、２１…音出力検出部、２２…振動検出部、２３…通知部、２４…音量調整部。
【図１】
2006186837.tif 000003
【図２】
2006186837.tif 000004
【図３】
2006186837.tif 000005
【図４】
2006186837.tif 000006
【図５】
2006186837.tif 000007
【図６】
2006186837.tif 000008